(57)【要約】  発表者に対してプレゼンテーションの経過時間を適時意識させる表示装置を提案する。  開始時点からの経過時間の計時を行う計時部と、表示画像および前記経過時間に関する表示を含む情報画像の表示を制御する表示制御部と、プレゼンテーション時間を設定する時間設定部と、を備え、前記表示制御部は、前記情報画像の表示を前記プレゼンテーション時間の間にわたって表示するように制御し、前記計時部が計時する経過時間が設定時間に達する度に、前記情報画像の態様を変化させる、表示装置。
2017119165.tif 000002
【特許請求の範囲】
【請求項１】
開始時点からの経過時間の計時を行う計時部と、  表示画像および前記経過時間に関する表示を含む情報画像の表示を制御する表示制御部と、  プレゼンテーション時間を設定する時間設定部と、を備え、  前記表示制御部は、前記情報画像の表示を前記プレゼンテーション時間の間にわたって表示するように制御し、  前記計時部が計時する経過時間が設定時間に達する度に、前記情報画像の態様を変化させる、表示装置。
【請求項２】
前記設定時間は、一定の時間間隔ごとに設定される、請求項１に記載の表示装置。
【請求項３】
前記設定時間は、所定の時間が経過するまでは第１の時間間隔ごとに設定され、前記所定時間経過後は、前記第１の時間間隔よりも短い第２の時間間隔ごとに設定される、請求項１に記載の表示装置。
【請求項４】
前記表示制御部が前記情報画像の態様を変化させることは、前記情報画像を拡大させることを含む、請求項１に記載の表示装置。
【請求項５】
前記表示制御部が前記情報画像の態様を変化させることは、前記情報画像の形状を変化させることを含む、請求項１に記載の表示装置。
【請求項６】
前記表示制御部が前記情報画像の態様を変化させることは、前記情報画像の表示位置を変化させることを含む、請求項１に記載の表示装置。
【請求項７】
前記表示制御部が前記情報画像の態様を変化させることは、前記情報画像の色を変化させることを含む、請求項１に記載の表示装置。
【請求項８】
前記情報画像には、第１の時間単位に関する第１画像と前記第１の時間単位よりも短い第２の時間単位に関する第２画像が含まれる、請求項１に記載の表示装置。
【請求項９】
前記第１画像と前記第２画像とは表示形式が異なる、請求項８に記載の表示装置。
【請求項１０】
前記第１画像は数字であり、前記第２画像は円グラフである、請求項９に記載の表示装置。
【請求項１１】
外部装置から前記表示画像を取得する画像取得部と、  前記表示装置および前記情報画像を投影する投影部と、をさらに備える、請求項１に記載の表示装置。
【発明の詳細な説明】
【技術分野】
【０００１】  本開示は、表示装置に関する。
【背景技術】
【０００２】  従来、会議または発表などでプレゼンテーションが行われる場合、画像をスクリーンに表示するためにプロジェクター等の表示装置が用いられている。会議または発表においてプレゼンテーションを行う発表者は、プレゼンテーションの残り時間を気にしながら発表を行うことが多い。これに関して、以下に示す特許文献にはプレゼンテーションの時間に関する表示を行う表示装置が開示されている。【０００３】  特許文献１には、設定された時間に投影される画像等の背景を変更する表示装置が開示されている。また特許文献２には、設定時間と経過時間との差に応じてメッセージ画像のサイズを変更する表示装置が開示されている。
【先行技術文献】
【特許文献】
【０００４】
【特許文献１】特開２００４−２９４７４３号公報
【特許文献２】特開２０１５−１８４６４９号公報
【発明の概要】
【発明が解決しようとする課題】
【０００５】  しかし、上記の表示装置においては、プレゼンテーションの終了時間が近づいてから、画像の背景の変更またはメッセージ表示が行われている。このように終了時間近くになって突然背景の変更またはメッセージ表示が行われても、発表者は発表時間を調整することが困難である。【０００６】  そこで本開示では、発表者に対してプレゼンテーションの経過時間を適時意識させることができる、新規かつ改良された表示装置を提案する。
【課題を解決するための手段】
【０００７】  本開示によれば、開始時点からの経過時間の計時を行う計時部と、表示画像および前記経過時間に関する表示を含む情報画像の表示を制御する表示制御部と、プレゼンテーション時間を設定する時間設定部と、を備え、前記表示制御部は、前記情報画像の表示を前記プレゼンテーション時間の間にわたって表示するように制御し、前記計時部が計時する経過時間が設定時間に達する度に、前記情報画像の態様を変化させる、表示装置が提供される。
【発明の効果】
【０００８】  以上説明したように本開示によれば、発表者に対してプレゼンテーションの経過時間を適時意識させることができる。【０００９】  なお、上記の効果は必ずしも限定されず、上記の効果とともに、または上記の効果に代えて、本明細書に示されたいずれかの効果、または本明細書から把握され得る他の効果が奏されてもよい。
【図面の簡単な説明】
【００１０】
【図１】図１は、本開示の第１の実施形態に係るプロジェクターと外部装置であるノート型のパーソナルコンピュータとの接続例を示す図である。
【図２】図２は、同実施形態に係るプロジェクターの構成の一例を示すブロック図である。
【図３】図３は、同実施形態に係るプロジェクターの設定の階層の一例を示す階層図である。
【図４Ａ】図４Ａは、同実施形態に係るプロジェクターの設定画面の一例を示す図である。
【図４Ｂ】図４Ｂは、同実施形態に係るプロジェクターの設定画面の一例を示す図である。
【図５】図５は、同実施形態に係るプロジェクターの報知時間を設定する設定画面の一例を示す図である。
【図６】図６は、同実施形態に係るプロジェクターの表示画像の一例を示す図である。
【図７】図７は、同実施形態に係るプロジェクターにおいて、情報画像が拡大されて表示される態様の一例を示す図である。
【図８】図８は、同実施形態に係るプロジェクターの動作の一例を示すフローチャートである。
【図９】図９は、同実施形態に係るプロジェクターにおける、情報画像の表示態様の変形例を示す図である。
【図１０】図１０は、同実施形態に係るプロジェクターにおける、情報画像の表示態様の変形例を示す図である。
【図１１】図１１は、同実施形態に係るプロジェクターにおける、情報画像の表示態様の変形例を示す図である。
【図１２】図１２は、同実施形態に係るプロジェクターにおける、情報画像の表示態様の変形例を示す図である。
【図１３】図１３は、同実施形態に係るプロジェクターの報知時間を設定する設定画面の変形例を示す図である。
【図１４】図１４は、第２の実施形態に係るプロジェクターの報知時間を設定する設定画面の一例を示す図である。
【図１５】図１５は、第３の実施形態に係るプロジェクターの報知ページを設定する設定画面の一例を示す図である。
【発明を実施するための形態】
【００１１】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】  なお、説明は以下の順序で行う。  １．第１の実施形態    １−１．プロジェクターの接続例及び構成例    １−２．プロジェクターの設定の階層構造    １−３．プロジェクターの設定画面の操作方法    １−４．タイマー設定画面の操作方法    １−５．タイマーの動作例    １−６．タイマーの動作の変形例    １−７．第１の実施形態のむすび  ２．第２の実施形態  ３．第３の実施形態  ４．補足
【００１３】  ＜１．第１の実施形態＞  ＜１−１．プロジェクターの接続例及び構成例＞  まず、図１および図２を参照して、本開示の第１の実施形態に係る表示装置の一例である、プロジェクター１００の接続例および構成例について説明する。図１は本実施形態のプロジェクター１００と外部装置２００との接続例を表す図である。
【００１４】  外部装置２００は、複数のページを有するプレゼンテーション資料を記憶している。操作者は、外部装置２００を操作することによって、プレゼンテーション資料のページ送ったり、戻したりすることができる。また、操作者は、外部装置２００を操作することによって、プレゼンテーション資料を外部の表示装置に出力するモードに切り替えることができる。また、プロジェクター１００は、操作者の操作などによって外部装置２００から出力された画像を受け取り、スクリーン等に受け取った画像を投影する装置である。
【００１５】  なお、本開示のプロジェクター１００では、図６および図７を用いて後述するように、発表者がプレゼンテーションを行う間、時間に関する表示を含む情報画像６０４の表示態様を複数回変化させるプレゼンテーションタイマーの機能を有する。これによって、プレゼンテーションを行う発表者に対して経過時間を適時意識づけることができる。
【００１６】  なお、本開示に係る表示装置はプロジェクター１００に限られず、画像または映像を表示できる表示装置であれば本開示の範囲に含まれる。例えば、表示装置は会議または発表等において用いられる、ディスプレイであってもよい。また本開示に従う動作を行う装置であれば、汎用のパーソナルコンピュータも本開示の範囲に含まれる。また、図１においては、外部装置２００としてノート型のパーソナルコンピュータが示されている。なお、本開示の範囲はこれに限られず、画像信号または画像データを出力する装置であれば本開示の範囲に含まれる。例えば、ブルーレイディスク再生装置のように映像信号を他の装置に出力する装置が本開示の範囲に含まれる。
【００１７】  図２は、本実施形態のプロジェクター１００の構成例を示す図である。本実施形態のプロジェクター１００は、外部装置２００からの信号またはデータを受け取る入力部１０２と、処理部１０４と、リモートコントローラー等から操作信号を受信する受信部１０６と、操作部１０８と、計時部１１０と、記憶部１１２と、設定部１１４と、投影部１１６と、スピーカ１１８と、を備える。
【００１８】  なお、処理部１０４は、画像データを処理する構成であり、表示制御部の一例である。また、設定部１１４は、プロジェクター１００の動作に関して設定を行う構成であり、時間設定部の一例である。また、入力部１０２は、外部装置２００から画像を取得する構成であり、画像取得部の一例である。図１において処理部１０４と、計時部１１０と、記憶部１１２と、設定部１１４とは別の構成として示されている。しかし、これらの部材は一つの部材であってもよく、本実施形態の動作ができる構成であればその構成の形式は問わない。
【００１９】  各構成についてより詳細に説明すると、入力部１０２は、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）であってもよい。ＨＤＭＩ（登録商標）は、デジタル信号をＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式で伝送し、ＣＥＣ（Ｃｏｎｓｕｍｅｒ  Ｅｌｅｃｔｒｏｎｉｃｓ  Ｃｏｎｔｒｏｌ）によって機器制御信号を伝送する。また、入力部１０２はＶＧＡ（Ｖｉｄｅｏ  Ｇｒａｐｈｉｃｓ  Ａｒｒａｙ）端子であってもよく、ＵＳＢ（Ｕｎｉｖｅｒｓａｌ  Ｓｅｒｉａｌ  Ｂｕｓ）であってもよい。
【００２０】  操作部１０８は、プロジェクター１００本体の上面等に設置される。また、操作部１０８は、上下左右方向にカーソル等を移動させるためのボタンを含んでもよい。また、メニュー画面を表示させるためのメニューボタン、および投影画像の補正を行う補正ボタン等が設けられてもよい。
【００２１】  投影部１１６は、水銀ランプまたはレーザーダイオード等の光源および投射レンズを有する。また、投影部１１６は、透過型液晶方式の場合、光源から照射されたＲＧＢ各色の光を液晶パネルに透過させ、プリズム等で再合成して投影画像を投影するように構成されてもよい。
【００２２】  設定部１１４は、処理部１０４がプレゼンテーションタイマーの動作を行うプレゼンテーション時間を設定し、また、以下で説明される設定時間等を設定する。また、計時部１１０は、プレゼンテーションタイマーの動作が開始されてからの経過時間を計時する。また、記憶部１１２には上記の情報画像６０４に関するフォーマット、または、設定画面に関するフォーマット、または、後述する設定項目の階層構造などが記憶されている。また、記憶部１１２にはプレゼンテーション時間および設定時間のような操作者によって設定された情報も記憶されている。
【００２３】  処理部１０４は、入力部１０２から外部装置２００が出力する画像データを取得する。次に、処理部１０４は、外部装置２００から取得した画像とともに情報画像６０４を表示するように処理する。また、処理部１０４は、計時部１１０が計時する経過時間と、設定時間に基づいて、情報画像６０４の表示態様を変化させるように処理する。
【００２４】  ＜１−２．プロジェクターの設定の階層構造＞  以上、図１および図２では本開示のプロジェクター１００の構成について説明されたが、以下ではプロジェクター１００の設定項目に関して説明する。図３は、本実施形態のプロジェクター１００の設定項目に関する階層構造を示す図であり、本実施形態のプロジェクター１００の記憶部１１２には図３に示す設定項目が記憶されている。本実施形態の動作に関する設定の最上位の階層の項目は、ファンクション項目３０２であり、このファンクション項目３０２には、プロジェクター１００の機能に関する複数の設定が含まれている。ファンクション項目３０２の次の階層の項目にはプレゼンテーションタイマー項目３０４が含まれ、これは後述する情報画像６０４を表示するモードに関する設定を行う設定項目である。
【００２５】  ３つ目の階層には、設定／スタート項目３０６、サイズ項目３０８、ポジション項目３１０、カウントアップ／ダウン項目３１２の設定項目が含まれる。設定／スタート項目３０６は、図５において後述するプレゼンテーションタイマーの設定画面を表示するタイマー設定画面表示項目３１４を含む。また、サイズ項目３０８は、情報画像６０４を表示する大きさを設定する設定項目であり、例えば情報画像６０４の表示サイズは、大、小、可変の３つの設定項目３１６を含んでもよい。ここで表示サイズ大および小の設定項目は、固定された所定の大きさで情報画像６０４を表示する設定項目である。また、表示サイズ可変の設定項目は、以下で詳述される情報画像６０４の表示態様が変化する場合に設定される。
【００２６】  次にポジション項目３１０は、情報画像６０４を表示する位置を設定する設定項目であり、例えば情報画像６０４の表示位置は、左下、右下、右上、左上の設定項目３１８の中から選択される。また、カウントアップ／ダウン項目３１２は、情報画像６０４に含まれる時間に関する表示をカウントアップで表示するのか、カウントダウンで表示するのかを設定するカウントアップ、ダウン設定項目３２０を含む。
【００２７】  ＜１−３．プロジェクターの設定画面の操作方法＞  図３は設定項目の階層構造について示した。以下では設定画面および設定画面での操作方法が説明される。図４Ａおよび図４Ｂは、本実施形態のプロジェクター１００の項目設定画面４００を示す。処理部１０４は、記憶部１１２から設定項目に関する情報を読み出して設定画面４００を表示するよう処理する。操作者がプロジェクター１００本体の操作部１０８またはリモートコントローラーのメニューボタンを操作することによって、プロジェクター１００は項目設定画面４００を表示する。操作者が操作部１０８またはリモートコントローラーの上下ボタンを操作し、項目設定画面４００のプレゼンテーションタイマーアイコン４０２にカーソル等を合わせることによって、プロジェクター１００は図４Ａに示されるような項目設定画面４００を表示する。図４Ａでは、図３を用いて説明した、プレゼンテーションタイマー項目３０４の下の階層に含まれる、設定／スタート項目３０６、サイズ項目３０８、ポジション項目３１０、カウントアップ／ダウン項目３１２に対応するアイコンが表示される。具体的には、項目設定画面４００には、設定／スタートアイコン４０４、サイズアイコン４０６、ポジションアイコン４０８、カウントアップ／ダウンアイコン４１０が表示される。
【００２８】  次に操作者は、操作部１０８またはリモートコントローラーの上下左右ボタンを操作することによって、カーソル等を移動させ、設定したい項目にカーソルを合わせて設定項目を選択する。図４Ｂは、操作者がサイズアイコン４０６を選択したときに表示される項目設定画面４００を表した図である。図４Ｂでは、サイズ項目３０８の下の階層に含まれる項目に対応するアイコンが表示される。具体的には、表示サイズ大アイコン４１２、表示サイズ小アイコン４１４、表示サイズ可変アイコン４１６の各アイコンが表示される。次に操作者が操作部１０８またはリモートコントローラーの上下左右ボタンを操作し、設定したいサイズのアイコンにカーソル等を合わせて選択することによって、情報画像６０４の大きさが設定される。
【００２９】  ＜１−４．タイマー設定画面の操作方法＞  図４Ａおよび図４Ｂでは、情報画像６０４が表示される大きさ、位置などを設定する設定画面および操作方法が示された。次に図５において、プレゼンテーションタイマーが動作するプレゼンテーション時間および情報画像６０４の表示態様を変化させる設定時間を設定するタイマー設定画面５００およびその操作方法が示される。図５に示されるタイマー設定画面５００は、図４Ａおよび図４Ｂで示された項目設定画面４００において、操作者が項目を順次選択していくことによって表示される。具体的には、操作者がプレゼンテーションタイマーアイコン４０２を選択し、設定／スタートアイコン４０４を選択し、設定／スタートアイコン４０４に含まれる設定画面表示アイコンを選択することによって、図５に示されるタイマー設定画面５００は表示される。
【００３０】  タイマー設定画面５００のフォーマットは、記憶部１１２に記憶されており、処理部１０４は、記憶部１１２から当該フォーマットを読み出してタイマー設定画面５００を表示する。処理部１０４は、操作者がタイマー設定画面５００を操作することによって、読み出したフォーマットに基づいて、タイマー設定画面５００内の数字またはカーソルなどを変更するように処理する。
【００３１】  情報画像６０４の表示態様を変化させる複数の設定時間は、タイマー設定画面５００を用いて設定される。設定時間は、タイマー設定画面５００において設定される報知間隔に基づいて設定される。つまり、報知間隔を１分と設定すると、プレゼンテーションタイマーの開始から１分ごとに設定時間は設定される。より具体的にいうと、設定時間はプレゼンテーションタイマー開始から１分経過した時点に設定され、また、プレゼンテーションタイマー開始から２分経過した時点にも設定され、以下同様に設定される。なお、設定された報知間隔に基づいて、処理部１０４が情報画像６０４の表示態様を変化させるような構成であれば、どのような構成であっても、設定時間が報知間隔に基づいて設定されたと理解される。
【００３２】  図５で示されるタイマー設定画面５００は、プレゼンテーション時間を設定するために用いられるプレゼンテーション時間設定枠５０２と、情報画像６０４の態様を変化させて表示する報知間隔を設定するために用いられる報知間隔設定枠５０４を含む。また、タイマー設定画面５００は、タイマーの設定を完了し、プレゼンテーションタイマーの動作を開始するときに操作される完了ボタン５０６と、タイマーの設定をキャンセルし、図４Ｂに示した項目設定画面４００に戻るときに操作される戻るボタン５０８を含む。
【００３３】  タイマー設定画面５００の操作方法について説明すると、操作者は、操作部１０８またはリモートコントローラーの上下左右ボタンを操作し、カーソル等を移動させてタイマー設定画面５００の各項目を選択する。最初に操作者は、プレゼンテーション時間設定枠５０２にカーソルを合わせ、カーソルがプレゼンテーション時間設定枠５０２に合っているときに、操作者は操作部１０８またはリモートコントローラーの上下ボタンを操作する。例えば、操作者が上ボタンを操作することによって、プレゼンテーション時間は１分ずつ増加し、また、操作者が下ボタンを操作することによって、プレゼンテーション時間は１分ずつ減少していく構成としてもよい。また、操作者が所定時間上下ボタンを長押しすることによって、プレゼンテーション時間が１０分または５分ずつ増減していく構成としてもよい。このように操作者が上下ボタンを長押しすることによって所定間隔でプレゼンテーション時間を増減できるような構成にすることによって、より容易にプレゼンテーション時間の設定が可能となる。
【００３４】  操作者がプレゼンテーション時間を設定し終えると、次に操作者は上下左右ボタンを操作してカーソルを報知間隔設定枠５０４に合わせる。操作者はカーソルが報知間隔設定枠５０４に合っているときに、上下ボタンを操作する。例えば、操作者が上ボタンを操作することによって、報知間隔は１分ずつ増加し、また、操作者が下ボタンを操作することによって、報知間隔は１分ずつ減少していく構成としてもよい。また、操作者が所定時間上下ボタンを長押しすることによって、報知間隔が５分ずつ増減していく構成としてもよい。このように上下ボタンを長押しすることによって所定間隔で報知間隔を増減できるような構成にすることによって、より容易に報知間隔の設定が可能となる。
【００３５】  操作者がプレゼンテーション時間及び報知間隔の設定を終了すると、操作者は上下左右ボタンを操作し、完了ボタン５０６にカーソルを合わせて選択することによって、プレゼンテーションタイマーの動作が開始する。ここで操作者が情報画像６０４のサイズまたは位置を変更したいときは、操作者はカーソルを戻るボタン５０８に合わせて選択することによって、図４Ｂに示す項目設定画面４００に戻ることができる。
【００３６】  ＜１−５．タイマーの動作例＞  図５では、本実施形態のプレゼンテーションタイマー機能に関して、プレゼンテーション時間および情報画像６０４の態様を変化させて表示する報知間隔の設定方法が示された。次に図６および図７では、図５において操作者が完了ボタン５０６を選択した後に開始されるプレゼンテーションタイマーの機能における、タイマーの動作例が示される。以下では、図５で示したタイマー設定画面５００において、プレゼンテーション時間が１０分として設定され、報知間隔が１分として設定された場合のタイマーの動作例が説明される。
【００３７】  図６は、プロジェクター１００が表示する画像であり、表示画像６０２は、外部装置２００から入力部１０２を介してプロジェクター１００に入力される画像である。処理部１０４は、情報画像６０４と、表示画像６０２とをともに表示するように処理する。情報画像６０４のフォーマットは、記憶部１１２に記憶されており、処理部１０４は、記憶部１１２から当該フォーマットを読み出して情報画像６０４を表示する。処理部１０４は、読み出したフォーマットに基づいて、情報画像６０４内の数字およびグラフなどを変更するように処理する。図６では、プレゼンテーションタイマーの動作が開始してから１５秒経過したときの画像が示されている。プレゼンテーションタイマーの動作が開始すると、処理部１０４は、表示画像６０２を全画面表示し、情報画像６０４とともに表示するように処理してもよい。また、計時部１１０は経過時間の計時を開始する。
【００３８】  また、図６は、設定においてカウントダウンが選択されている場合の情報画像６０４の表示態様を示している。図６において、処理部は表示画像６０２を投射された画像全体にわたって全画面表示している。なお、表示画面６０２の表示方法は全画面表示に限られない。例えば、表示画像６０２と情報画像６０４とが重ならないように、処理部１０４は表示画像６０２を縮小して表示するよう処理してもよい。また、処理部１０４は情報画像６０４をプレゼンテーションタイマーの動作を行う間にわたって表示するように制御する。なお、発表者に対して時間の経過を意識づける観点からすれば、処理部１０４は、情報画像６０４をプレゼンテーション時間の間、常時表示するように制御することが好ましく、また断続的に表示してもよい。
【００３９】  また、情報画像６０４はプレゼンテーションタイマーの動作開始時点からの経過時間に関する情報を含む。当該情報には、第１の時間単位に関する第１画像および第１の時間単位よりも短い第２の時間単位に関する第２画像などが含まれる。例えば、第１の時間単位に関する第１画像は、図６に示されるような、分に関する情報を表示する分情報表示部６０６である。また、第１の時間単位よりも短い第２の時間単位に関する第２画像は、図６に示されるような、秒に関する情報を表示する秒情報表示部６０８である。分情報表示部６０６は数字で分に関する情報を表し、秒情報表示部６０８は円グラフで秒に関する情報を表す構成となっている。
【００４０】  図６に示すように処理部１０４は、秒情報表示部６０８を１５秒経過するごとに円グラフの４分の１が減少していくように処理する。つまり図６では、プレゼンテーション時間は残り９分４５秒であることを示している。
【００４１】  このように秒に関する情報を円グラフ等の数字とは異なる表示形式で表示することにより、発表者は迅速に分に関する情報と秒に関する情報を見分けることができる。また、秒に関する情報を円グラフ等の数字とは異なる表示形式で表示することにより、表示スペースは小さくなり、また、発表者に対してより感覚的に経過時間を印象付けることができる。なお、秒情報表示部６０８は、所定間隔ごと（例えば１秒ごと）に点滅する表示であってもよい。
【００４２】  図６では、プレゼンテーションタイマーの動作開始から１５秒経過したときの画像が示されたが、図７では、図６で示した状態から４５秒経過した後の画像が示される。つまり図７は、プレゼンテーションタイマーの動作開始から１分経過した状態を示す図である。上述したように報知間隔は１分に設定されているので、図７で処理部１０４は、情報画像６０４を図６で示した状態に比べて拡大して表示している。このように処理部１０４は、情報画像６０４を１分ごとに拡大して表示するように処理する。つまり、プレゼンテーション時間が１０分に設定され、報知間隔が１分に設定された場合、計時部１１０が１分を計時する度に処理部１０４は、情報画像６０４を拡大して表示するように処理する。つまり処理部１０４は、情報画像６０４をプレゼンテーションタイマーの動作終了までに計９回同様に拡大して表示する。
【００４３】  なお、図７で示されるように、処理部１０４が情報画像６０４を拡大して表示した後、所定時間処理部１０４は、情報画像６０４を拡大表示した状態に保つ。そして、所定時間経過後、処理部１０４は、情報画像６０４を元の大きさに戻す。なお、処理部１０４が情報画像６０４を拡大して表示する所定時間は５秒程度であってもよく、その長さは限定されない。
【００４４】  以上説明したように、処理部１０４は、プレゼンテーション時間にわたって、情報画像６０４を表示する。また、処理部１０４は、情報画像６０４を所定の間隔で拡大して表示する。これによって、発表者は、時間の経過を任意のタイミングで確認することができるとともに、たとえ発表に意識が向き、経過時間の確認を忘れても、発表者は経過時間を定期的に意識づけられる。よって、発表者は、発表の進行を残り時間と合わせることができ、適切なペース配分をすることができる。また、表示されていた情報画像６０４の表示態様が変化するので、突然経過時間を知らせる画像が表示される表示方法に比べて、違和感なく、発表者に経過時間が報知される。
【００４５】  以上図６および図７ではタイマー動作時の表示例が説明された。次に図８ではタイマー動作のフローチャートが示される。本実施形態のプロジェクター１００では、Ｓ１００において操作者が図５の完了ボタン５０６を選択することによって処理が開始される。タイマーの処理が開始されると、Ｓ１０２およびＳ１０４において計時部１１０は計時を開始し、経過時間の計時を行う。
【００４６】  次にＳ１０６において、処理部１０４は設定部１１４において、情報画像６０４の表示態様を変化させるために設定された設定時間が経過したか否かを判定する。上述した例では、設定時間は報知間隔（上述した例では１分間隔）に基づいて設定される。計時部１１０が計時した経過時間が設定時間に達した場合、Ｓ１０８において処理部１０４は情報画像６０４を拡大表示するように処理を行う。Ｓ１１０において処理部１０４は、Ｓ１０８において拡大して表示された情報画像６０４を一定時間（例えば５秒間）拡大表示したままの状態に保つ。次にＳ１１２において処理部１０４は、一定時間情報画像６０４を拡大して表示した後に、情報画像６０４を元の大きさに戻して表示するように処理する。
【００４７】  Ｓ１１４において、処理部１０４は設定されたプレゼンテーション時間（上述した例では１０分間）が経過したか否かを判定する。経過時間が設定されたプレゼンテーション時間に達していないとき、処理はＳ１０４に戻り、Ｓ１０４からＳ１１４の処理が繰り返される。Ｓ１１４において、経過時間が設定されたプレゼンテーション時間に達したと処理部１０４が判定すると、処理はＳ１１６に移り、処理は終了する。
【００４８】  ＜１−６．タイマーの動作の変形例＞  図６から図８では、処理部１０４が設定された報知間隔に基づく設定時間ごとに情報画像６０４を拡大して表示する態様が示された。次に、図９から図１２では、設定時間ごとにその他の態様で発表者に対して経過時間の報知が行われる態様が示される。
【００４９】  （第１の変形例）  図９は、図７において処理部１０４が情報画像６０４を拡大して表示することに代えて、情報画像６０４の形状を変更する例を示す。図９では、経過時間が設定時間に達すると、処理部１０４は長方形で表示されていた情報画像６０４の短辺を変形させ、情報画像６０４の形状を六角形に変形させて表示する。なお、変形される形状はどのような形状であってもよく、例えば楕円であってもよく、六角形に限られない。
【００５０】  このように構成することによって、処理部１０４が情報画像６０４を拡大して表示する場合に比べて、情報画像６０４を表示するスペースが小さくなる。このため、表示画像６０２と情報画像６０４とが重なることなく表示される。
【００５１】  （第２の変形例）  図１０は、図７において処理部１０４が情報画像６０４を拡大して表示することに代えて、情報画像６０４の表示位置を変更して表示する例を示す。図１０では、経過時間が設定時間に達すると、処理部１０４は左下に表示されていた情報画像６０４を上方に移動させる態様が示される。なお、処理部１０４が情報画像６０４を移動させる方向はどのような方向であってもよく、例えば左右方向および斜め方向であってもよく、上方に限られない。
【００５２】  このように処理部１０４が、情報画像６０４の位置を動かすことによって、発表者は情報画像６０４を目で追うこととなり、より確かに発表者は時間の経過を確認することができる。
【００５３】  （第３の変形例）  図１１は、図７において処理部１０４が情報画像６０４を拡大して表示されることに代えて、情報画像６０４の色を変更して表示する例を示す。図１１では、経過時間が設定時間に達すると、処理部１０４が、情報画像６０４の背景を白色から他の色（例えば赤色または青色）に変える態様が示される。なお、背景の色は１色に限られず、例えば経過時間または残り時間に応じて変更される色が変わってもよい。例えば、プレゼンテーション時間が２０分に設定され、報知間隔が５分に設定されている場合、残り時間が１５分になれば青色に変わり、残り時間が１０分になれば黄色に変わり、残り時間が５分になれば赤色に変わるように構成されてもよい。
【００５４】  このように処理部１０４が、情報画像６０４の色を変更することによって、発表者は時間の経過を確認することができる。特に残り時間に応じて変更される色が変わる場合、発表者は色を確認することだけで容易に残り時間の確認をすることができる。
【００５５】  （第４の変形例）  図１２は、図７において処理部１０４が情報画像６０４を拡大して表示されることに代えて、他の情報画像６１０を表示する例を示す。図１２では、経過時間が設定時間に達すると、処理部１０４は表示画像６０２の左上部分に星形の他の情報画像６１０を表示する態様が示される。なお、他の情報画像６１０の形は星形に限られず、また、表示位置も左上に限られない。また、他の情報画像６１０にはメッセージが含まれてもよい。
【００５６】  （第５の変形例）  以上では１つの時間間隔で、処理部１０４が情報画像６０４の表示態様を変化させる態様が示された。次に図１３では、第１の時間間隔および第１の時間間隔よりも短い第２の時間間隔で、処理部１０４が情報画像６０４の表示態様を変化させる変形例が説明される。図１３は本変形例に係るタイマー設定画面５００を示す図である。図１３で示されるタイマー設定画面５００は、第１の時間間隔に対応する第１報知間隔を設定するための第１報知間隔設定枠５１０と報知間隔変更時間設定枠５１２と、第２の時間間隔に対応する第２報知間隔を設定するための第２報知間隔設定枠５１４とをさらに備える。
【００５７】  第１報知間隔設定枠５１０は、プレゼンテーションタイマーの動作開始から報知間隔変更時間までの間に、処理部１０４が情報画像６０４の表示態様を変更する第１の報知間隔を設定するために用いられる枠である。また、第２報知間隔設定枠５１４は、報知間隔変更時間からプレゼンテーションタイマーの終了までの間に、処理部１０４が情報画像６０４の表示態様を変更する第２の報知間隔を設定するために用いられる枠である。報知間隔変更時間設定枠５１２は、第１の報知間隔から第２の報知間隔に切り替える時間を設定するために用いられる枠である。
【００５８】  図１３で示されるように、プレゼンテーション時間を６０分、第１報知間隔を５分、報知間隔変更時間を１０分、第２報知間隔を１分と設定した場合のタイマーの動作例が以下に説明される。
【００５９】  上述したように各項目が設定されると、処理部１０４は、プレゼンテーションタイマーの動作開始から５分ごとに情報画像６０４の表示態様を変化させる。プレゼンテーションを開始してから５０分が経過すると、つまりプレゼンテーション時間の残り時間が１０分になると、処理部１０４は、１分ごとに情報画像６０４の表示態様を変化させる。
【００６０】  このように終了時間が近づいた場合、処理部１０４は、情報画像６０４の表示態様が変化する時間間隔をより短い間隔に変更する。これによってプレゼンテーションの終了時間が近くになったとき、発表者は、より細かい情報を得ることができる。また、発表者は、より短い間隔で経過時間を意識できるので、発表者は、話すスピードまたは説明するページを変更して発表時間の帳尻合わせを行うことができる。
【００６１】  ＜１−７．第１の実施形態のむすび＞  以上説明したように本実施形態では、プレゼンテーションを行うときに用いられるプロジェクター１００において、時間に関する情報を含む情報画像６０４の表示態様が複数回変化することによって、発表者は経過時間を意識することができる。また、所定の間隔で情報画像６０４の表示態様が変化することによって、発表者は定期的に経過時間を意識することができる。
【００６２】  ＜２．第２の実施形態＞  第１の実施形態では、一定間隔で処理部１０４が情報画像６０４の表示態様を変化させる例が説明された。第２の実施形態では、任意の報知時間で処理部１０４が情報画像６０４の表示態様を変化させる例が説明される。なお、報知時間は、処理部１０４が情報画像６０４の表示態様を変化させる時間なので、上述した複数の設定時間の一例である。
【００６３】  図１４は本実施形態に係るタイマー設定画面５００を示す図である。図１４で示されるタイマー設定画面５００は、報知時間設定枠５１６と報知時間決定ボタン５１８と、報知時間表示枠５２０とをさらに備える。
【００６４】  図１４で示されるタイマー設定画面５００の操作方法が以下に説明される。操作者は操作部１０８の上下左右ボタンを操作して、報知時間設定枠５１６にカーソルを合わせる。次に操作者は操作部１０８の上下ボタンを用いて報知時間を増減し、発表者が報知して欲しい時間に報知時間設定枠５１６内の数字を合わせる。
【００６５】  次に操作者は、上下左右ボタンを用いてカーソルを報知時間決定ボタン５１８に合わせ、報知時間の決定を行う。操作者が報知時間の決定を行うと、報知時間表示枠５２０には操作者が決定した報知時間が表示される。
【００６６】  上記した操作方法を具体的に説明すると、操作者が報知時間設定枠５１６において数値を「１ｍｉｎ」に合わせて報知時間を決定すると、報知時間表示枠５２０には「１」が表示される。図１４で示した状態は、操作者が報知時間設定枠５１６において「２５」、「１７」、「１３」、「１０」、「５」、「３」を同様に決定した状態である。
【００６７】  このように設定された場合、処理部１０４は報知時間表示枠５２０に表示された時間、つまり操作者が設定した任意の時点で情報画像６０４の表示態様を変化させる。このような構成により、自分が報知して欲しいタイミングで情報画像６０４の表示態様が変化するので、発表者は適切なタイミングで経過時間を把握することができる。
【００６８】  ＜３．第３の実施形態＞  第１および第２の実施形態では、所定の設定時間で処理部１０４が情報画像６０４の表示態様を変化させる例が説明された。第３の実施形態では、データにページ番号を有するスライドの資料が用いられる場合などにおいて、任意のページで処理部１０４が情報画像６０４の表示態様を変化させる例が説明される。
【００６９】  図１５は本実施形態に係るタイマー設定画面５００を示す図である。図１５で示されるタイマー設定画面５００は、報知ページ設定枠５２２と報知ページ決定ボタン５２４と、報知ページ表示枠５２６とをさらに備える。
【００７０】  図１５で示されるタイマー設定画面５００の操作方法が以下に説明される。操作者は操作部１０８の上下左右ボタンを操作して、報知ページ設定枠５２２にカーソルを合わせる。次に操作者は操作部１０８の上下ボタンを用いて報知ページを増減し、発表者が報知して欲しいページに報知ページ設定枠５２２内の数字を合わせる。
【００７１】  次に操作者は、上下左右ボタンを用いてカーソルを報知ページ決定ボタン５２４に合わせ、報知ページの決定を行う。操作者が報知ページの決定を行うと、報知ページ表示枠５２６には操作者が決定した報知ページが表示される。
【００７２】  上記した操作方法を具体的に説明すると、操作者が報知ページ設定枠５２２において数値を「１ｐａｇｅ」に合わせて報知ページを決定すると、報知ページ表示枠５２６には「１」が表示される。図１５で示した状態は、操作者が報知ページ設定枠５２２において「２５」、「１７」、「１３」、「１０」、「５」、「３」を同様に決定した状態である。
【００７３】  このように設定された場合、処理部１０４は報知ページ表示枠５２６に表示されたページ、つまり操作者が設定した任意のページで情報画像６０４の表示態様を変化させる。このようにプロジェクター１００が構成される場合、処理部１０４は入力部１０２を介して、外部装置２００から表示画像６０２のページ数を示す情報を取得するように構成されてもよい。
【００７４】  このような構成により、自分が報知して欲しいページで情報画像６０４の表示態様が変化するので、発表者は適切なページで経過時間を把握することができる。これは例えば、発表者が発表の練習を行う際、どのページまでにどの程度時間を必要とするかを把握するときなどに有用である。
【００７５】  ＜４．補足＞  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属する。
【００７６】  例えば、本明細書において情報画像６０４の表示態様の変化について、情報画像６０４の拡大、形状変更、位置の移動、色の変更等が示されたが、これに限定されない。また、このような表示態様の変更は組み合わされてもよい。例えば、情報画像６０４を拡大し、さらに移動させてもよく、情報画像６０４の色を変更して拡大させてもよい。また、プロジェクター１００がスピーカ１１８を有する場合、情報画像６０４の表示態様を変更させることに代えて、または情報画像６０４の表示態様を変更させることに加えて音を鳴らしてもよい。
【００７７】  また、処理部１０４を上述したように動作させるためのコンピュータプログラムが提供されてもよい。また、このようなプログラムが記憶された記憶媒体が提供されてもよい。
【００７８】  また、本明細書に記載された効果は、あくまで例示であって限定的ではない。つまり、本開示に係る技術は、上記の効果とともに、または上記の効果に代えて、本明細書の記載から当業者には明らかな他の効果を奏しうる。
【００７９】  なお、以下のような構成も本開示の技術的範囲に属する。（１）  開始時点からの経過時間の計時を行う計時部と、  表示画像および前記経過時間に関する表示を含む情報画像の表示を制御する表示制御部と、  プレゼンテーション時間を設定する時間設定部と、を備え、  前記表示制御部は、前記情報画像の表示を前記プレゼンテーション時間の間にわたって表示するように制御し、  前記計時部が計時する経過時間が設定時間に達する度に、前記情報画像の態様を変化させる、表示装置。（２）  前記設定時間は、一定の時間間隔ごとに設定される、前記（１）に記載の表示装置。（３）  前記設定時間は、所定の時間が経過するまでは第１の時間間隔ごとに設定され、前記所定時間経過後は、前記第１の時間間隔よりも短い第２の時間間隔ごとに設定される、前記（１）に記載の表示装置。（４）  前記表示制御部が前記情報画像の態様を変化させることは、前記情報画像を拡大させることを含む、前記（１）から前記（３）のいずれか１項に記載の表示装置。（５）  前記表示制御部が前記情報画像の態様を変化させることは、前記情報画像の形状を変化させることを含む、前記（１）から前記（３）のいずれか１項に記載の表示装置。（６）  前記表示制御部が前記情報画像の態様を変化させることは、前記情報画像の表示位置を変化させることを含む、前記（１）から前記（３）のいずれか１項に記載の表示装置。（７）  前記表示制御部が前記情報画像の態様を変化させることは、前記情報画像の色を変化させることを含む、前記（１）から前記（３）のいずれか１項に記載の表示装置。（８）  前記情報画像には、第１の時間単位に関する第１画像と前記第１の時間単位よりも短い第２の時間単位に関する第２画像が含まれる、前記（１）から前記（７）のいずれか１項に記載の表示装置。（９）  前記第１画像と前記第２画像とは表示形式が異なる、前記（８）に記載の表示装置。（１０）  前記第１画像は数字であり、前記第２画像は円グラフである、前記（９）に記載の表示装置。（１１）  外部装置から前記表示画像を取得する画像取得部と、  前記表示装置および前記情報画像を投影する投影部と、をさらに備える、前記（１）から前記（１０）のいずれか１項に記載の表示装置。
【符号の説明】
【００８０】  １００    プロジェクター  １０２    入力部  １０４    処理部  １０６    受信部  １０８    操作部  １１０    計時部  １１２    記憶部  １１４    設定部  １１６    投影部  １１８    スピーカ  ２００    外部装置  ４００    項目設定画面  ５００    タイマー設定画面  ５０２    プレゼンテーション時間設定枠  ５０４    報知間隔設定枠  ５１０    第１報知間隔設定枠  ５１２    報知間隔変更時間設定枠  ５１４    第２報知間隔設定枠  ５１６    報知時間設定枠  ５２０    報知時間表示枠  ５２２    報知ページ設定枠  ５２６    報知ページ表示枠  ６０２    表示画像  ６０４    情報画像  ６０６    分情報表示部  ６０８    秒情報表示部
【図１】
2017119165.tif 000003
【図２】
2017119165.tif 000004
【図３】
2017119165.tif 000005
【図４Ａ】
2017119165.tif 000006
【図４Ｂ】
2017119165.tif 000007
【図５】
2017119165.tif 000008
【図６】
2017119165.tif 000009
【図７】
2017119165.tif 000010
【図８】
2017119165.tif 000011
【図９】
2017119165.tif 000012
【図１０】
2017119165.tif 000013
【図１１】
2017119165.tif 000014
【図１２】
2017119165.tif 000015
【図１３】
2017119165.tif 000016
【図１４】
2017119165.tif 000017
【図１５】
2017119165.tif 000018
【国際調査報告】
2017119165.tif 000019
2017119165.tif 000020
2017119165.tif 000021
2017119165.tif 000022